(57)【要約】【課題】重ねて収納された紙幣の最上位にある１枚を取り出す場合と比較して、底面上に支持された最後の１枚である紙幣を取り出す作業は負担である。そこで、最後の１枚の紙幣を紙幣収納部から取り出し易くする。【解決手段】ドロワの引出しには、複数個の紙幣収納部１５１が上面開口して設けられている。紙幣収納部１５１は、引出方向に沿って長く紙幣Ｂよりも大きな形状の底面１５２を有する。紙幣収納部１５１の底面１５２には、この底面１５２の長手方向に沿わせて凹状に窪んだ溝１５３が設けられている。この溝１５３の幅は、１８ｍｍないし２０ｍｍである。【選択図】図５
2010015511.tif 000002
【特許請求の範囲】
【請求項１】
ドロワ筐体と、
前記ドロワ筐体に対して引出し自在に収納される引出しと、
前記引出しに上面開口して設けられて前記引出しの引出方向に沿って長く紙幣よりも大きな形状の底面を有し、紙幣を当該底面上に支持して収納する複数個の紙幣収納部と、
前記紙幣収納部の底面に当該底面の長手方向に沿わせて凹状に窪んで設けられ、前記引出方向と直交する方向の幅が１８ｍｍないし２０ｍｍである溝と、
を備えるドロワ。
【請求項２】
前記溝は、前記紙幣収納部の底面における前記引出方向と直交する方向の中央位置に設けられている、
請求項１記載のドロワ。
【発明の詳細な説明】
【技術分野】
【０００１】
本発明は、ＥＣＲ等に接続されて使用されるドロワに関する。
【背景技術】
【０００２】
従来、ドロワの引出しには、紙幣を金種別に収納するための紙幣収納部が設けられている（例えば、特許文献１参照）。紙幣収納部には、通常、紙幣の位置ズレを防止する札押えが設けられている。したがって、紙幣収納部から紙幣を取り出すためには、まず、札押えを持ち上げる。そして、重ねて収納された複数枚の紙幣の内、最上位に位置する紙幣を指で手前側に滑らせたり摘んだりして、取り出すことになる。
【０００３】
【特許文献１】特開平３−２０１１９０号公報
【非特許文献１】社団法人人間生活工学研究センター「Ｊａｐａｎｅｓｅ  Ｂｏｄｙ  Ｓｉｚｅ  Ｄａｔａ  １９９２−１９９４」Ｎｏ．１４２
【発明の開示】
【発明が解決しようとする課題】
【０００４】
ところで、紙幣収納部に収納された紙幣の枚数が減少するに従い、最上位に位置する紙幣の位置は紙幣収納部の底面に近くなる。そして、紙幣収納部に収納された最後の１枚の紙幣を取り出す場合、この紙幣は紙幣収納部の底面上に支持されているので、オペレータは指を底面まで伸ばして作業をしなければならない。つまり、紙幣収納部の底面上の最後の１枚の紙幣は、重ねて収納された最上位の１枚の紙幣と比較して取り出しづらく、オペレータにとって作業負担となる。
【０００５】
本発明の目的は、紙幣収納部に収納された最後の１枚の紙幣を取り出し易くすることである。
【課題を解決するための手段】
【０００６】
本発明のドロワは、ドロワ筐体と、前記ドロワ筐体に対して引出し自在に収納される引出しと、前記引出しに上面開口して設けられて前記引出しの引出方向に沿って長く紙幣よりも大きな形状の底面を有し、紙幣を当該底面上に支持して収納する複数個の紙幣収納部と、前記紙幣収納部の底面に当該底面の長手方向に沿わせて凹状に窪んで設けられ、前記引出方向と直交する方向の幅が１８ｍｍないし２０ｍｍである溝と、を備える。
【発明の効果】
【０００７】
本発明によれば、底面に設けられた溝に人差指の指端が入り込んで紙幣をこの溝の底面に押え付けると紙幣の手前側が反り上がるので、この反り上がりを摘んで引き出すことで、容易に最後の１枚である紙幣を取り出すことができる。
【発明を実施するための最良の形態】
【０００８】
本発明の実施の形態について図１ないし図６に基づいて説明する。
【０００９】
図１は、ドロワ１０１をＥＣＲ２０１と共に示す斜視図である。ＥＣＲ２０１は、ドロワ１０１の上面に載置されている。ドロワ１０１は、手前側（図１中左下側）に開口部１０３を有する薄型偏平なドロワ筐体１０２を備えている。ドロワ筐体１０２には、開口部１０３から引出自在な引出し１０４が収納される。以下、ドロワ筐体１０２に対して引出し１０４が引き出される方向を、引出方向と呼ぶ。
【００１０】
図２は、引出し１０４を示す分解斜視図である。引出し１０４は、上面開口のマネーケース１０５を着脱自在に備えている。マネーケース１０５の手前側（図２中左下側）には、商品券等の取引に関わる券を収納するための券収納部１０６が設けられている。券収納部１０６には、コインケース１０８が着脱自在に取り付けられる。コインケース１０８は、硬貨を金種別に収納するための複数の硬貨収納部１０９を備える。
【００１１】
また、マネーケース１０５の奥側（図２中右上側）には、紙幣を金種別に収納するための紙幣収納部１５１が設けられている。紙幣収納部１５１は、複数の仕切板１１１によって仕切られている。紙幣収納部１５１の奥側には、奥行きの短い板状部材である取付部１１３が設けられている。取付部１１３には、いわゆる跳ね上げ式の札押え１１５が取り付けられる。跳ね上げ式の札押え１１５の構造については、その内容が周知なので、説明を省略する。札押え１１５は、紙幣収納部１５１に収納された紙幣を上面から押え付けて位置ズレ等を防止する。
【００１２】
図３は、紙幣収納部１５１を拡大して示す斜視図である。図３中では、取付部１１３及び札押え１１５を省略して示している。上面開口して形成された紙幣収納部１５１は、引出方向に沿って長い底面１５２を有している。紙幣収納部１５１は、収納した紙幣をその底面１５２上に支持する。そのため、底面１５２は、収納する紙幣よりも大きな矩形形状を有している。なお、底面１５２は、紙幣収納部１５１の手前側（図３中左下側）で、反り上がっている。
【００１３】
そして、図３に示すように、底面１５２には、底面１５２の長手方向に沿わせて、凹状に窪んだ溝１５３が設けられている。溝１５３の両端は半円状に形成されている。
【００１４】
図４は、図３のＡ−Ａ線断面図である。図４中には、紙幣収納部１５１に対して紙幣の収納及び取出を行うオペレータの人差指Ｆが示されている。
【００１５】
紙幣収納部１５１の底面１５２には、隣り合う仕切板１１１同士の真中となる位置に、溝１５３が設けられている。換言すれば、溝１５３は、底面１５２における引出方向と直交する方向の中央位置に設けられていることになる。溝１５３は、凹状に窪んでいるため、その周囲に段部Ｄを形成する。溝１５３における底面１５２を溝底面１５２ａと呼ぶ。溝１５３の深さは、一定である。なお、溝１５３が設けられることに伴って、マネーケース１０５の下面には、溝１５３の形状に応じた凸部が形成されている。
【００１６】
次に、溝１５３の幅（以下、溝幅ＤＷ）について説明する。溝幅ＤＷは、引出方向と直交する方向の幅である。図４に示すように、溝幅ＤＷは、オペレータの人差指Ｆの遠位指節間関節Ｊにおける幅（以下、関節幅ＪＷと呼ぶ）よりも僅かに幅広となっている。遠位指節間関節Ｊとは、人差指Ｆの爪の有る先端である指端Ｔから最も近い関節のことである。一般的に指端Ｔは遠位指節間関節Ｊよりも幅狭であるため、人差指Ｆの指端Ｔは、確実に溝１５３に入り込むことができる。
【００１７】
そして、本実施の形態では、溝幅ＤＷは、１８〜２０ｍｍである。つまり、溝１５３の溝幅ＤＷは、一例では１８ｍｍであるし、別の一例では２０ｍｍである。このような溝幅ＤＷとした根拠を以下に説明する。
【００１８】
人差指Ｆの遠位指節間関節Ｊの関節幅ＪＷの７５パーセンタイル値を示すと、
年齢            男性（ｍｍ）    女性（ｍｍ）      
１６              １８．１        １６．０  
１７              １８．３        １６．３  
１８              １８．１        １６．２  
１９              １８．５        １６．０  
２０−２４            １８．７        １６．２  
２５−２９            １８．４        １６．５  
３０−３９            １８．７        １６．８  
４０−４９            １８．８        １７．６  
５０−５９            １９．０        １７．７  
６０−６９            １９．６        １８．０  
となっている。この値は非特許文献１から採取した値に基づいている。
【００１９】
７５パーセンタイル値とは、全サンプルの数値を小さい値から数えて７５％にあたる数値を代表値とするものである。例えば、「年齢」１６（歳）の「男性」のサンプル数は８８８（人）であるので（非特許文献１参照）、値の小さい方から６６６（＝８８８（人）×０．７５）番目の関節幅ＪＷを示す値である。
【００２０】
なお、各「年齢」におけるサンプル数（人数）は、同一であるとは限らない。例えば、「男性」について見れば、１６歳：８８８（人）、１７歳：８４０（人）、１８歳：５７９（人）・・・といったように、何れの「年齢」においても異なっている。
【００２１】
本実施の形態の溝１５３においては、オペレータとなり得る１６〜６０歳の男性又は女性の人差指Ｆの指端Ｔが入り込むことができる必要最低限の溝幅ＤＷが選択されている。
【００２２】
まず、７５パーセンタイル値を選択した理由は、７５パーセンタイル値であればその「年齢」における関節幅ＪＷのほとんどをカバーし得るとの判断である。
【００２３】
ここで、「男性」の関節幅ＪＷの７５パーセンタイル値を見ると、１６〜６０歳では１８．１〜１９．６ｍｍである。したがって、溝幅ＤＷを２０ｍｍとすることによって、１６〜６０歳の男性は、遠位指節間関節Ｊよりも幅狭な人差指Ｆの指端Ｔを溝１５３に入り込ませることができる。
【００２４】
また、「女性」の関節幅ＪＷの７５パーセンタイル値を見ると、１６〜６０歳では１６．０〜１８．０ｍｍである。したがって、溝幅ＤＷを１８ｍｍとすることによって、１６〜６０歳の女性は、遠位指節間関節Ｊよりも幅狭な人差指Ｆの指端Ｔを溝１５３に入り込ませることができる。
【００２５】
このような構成において、紙幣収納部１５１に収納された最後の１枚である紙幣を取り出す作業について、図５に基づいて説明する。
【００２６】
図５は、図３のＢ−Ｂ線断面図である。図５（ａ）に示すように、紙幣収納部１５１の底面１５２上には、１枚の紙幣Ｂが支持されている。なお、紙幣Ｂはいずれの金種であっても良い。このとき、底面１５２上の紙幣Ｂは、図５中には図示しない札押え１１５によって押え付けられている。オペレータは、紙幣Ｂを紙幣収納部１５１から取り出すために、まず、札押え１１５を跳ね上げる。札押え１１５は、周知の機構によって跳ね上げられた状態が維持される。
【００２７】
次に、図５（ｂ）に示すように、オペレータは、人差指Ｆの指端Ｔを紙幣Ｂの上面から溝１５３に入り込ませて、この紙幣Ｂを溝底面１５２ａに押え付ける。すると、紙幣Ｂは、押え付ける指端Ｔを中心にして、その周囲が段部Ｄによって押し上げられて反り上がる。このように反り上がった紙幣Ｂの手前側（図５中左側）部分を、図５（ｃ）に示すように、人差指Ｆと親指Ｈとで挟んで摘むことができる。そして、摘んだ紙幣Ｂを手前側上方に引き出すことにより、紙幣収納部１５１に収納された最後の１枚である紙幣Ｂを容易に取り出すことができる。
【００２８】
図６は、人差指Ｆの指端Ｔによって紙幣Ｂが押え付けられた状態を示す模式図である。図６（ａ）は、本実施の形態の溝１５３に入り込む人差指Ｆの指端Ｔによって紙幣Ｂが溝底面１５２ａに押え付けられた状態を示し、図６（ｂ）は、比較例である幅広の比較溝３０１に入り込む人差指Ｆの指端Ｔによって紙幣Ｂがその比較溝底面３０２に押え付けられた状態を示す。つまり、図６（ａ）に示す溝１５３の溝幅ＤＷは２０ｍｍであるのに対して、図６（ｂ）に示す比較溝３０１では、３０ｍｍである。なお、その他の条件（深さ、長さ）については、溝１５３と比較溝３０１とは、共に同一である。
【００２９】
図６中に示すのは、１６〜６０歳の「男性」であるオペレータの人差指Ｆである（例えば、関節幅ＪＷは１９．０ｍｍ）。そのため、図６（ａ）に示す本実施の形態の溝１５３に対しては、人差指Ｆの指端Ｔが両側に僅かな（１〜２ｍｍ程度）隙間のみを残して入り込む。一方で、図６（ｂ）に示す比較例の比較溝３０１に対しては、人差指Ｆの指端Ｔが両側により大きな５ｍｍ程度の隙間を残して入り込む。
【００３０】
ここで、本実施の形態の溝１５３は比較溝３０１よりも幅狭であるため、指端Ｔが紙幣Ｂを押え付ける点Ｐから段部Ｄまでの距離は、より短い。そのため、本実施の形態では比較例よりも、紙幣Ｂが点Ｐからより近い箇所で段部Ｄによって押し上げられる。これにより、本実施の形態では比較例よりも、紙幣Ｂの反り上がりがより大きくなる（つまり、紙幣Ｂの縁部分の底面１５２からの高さがより高くなる）。そして、このような紙幣Ｂにおける側部での大きな反り上がりが手前側にも伝わり、紙幣Ｂは手前側でもより大きく反り上がることになるので（図５（ｂ）参照）、比較例と比較してオペレータは、紙幣Ｂをより摘み易くなる（図５（ｃ）参照）。
【００３１】
そして、本実施の形態の溝１５３は、オペレータが人差指Ｆの指端Ｔを入り込ませることができる必要最低限の溝幅ＤＷであるため、紙幣Ｂを溝底面１５２ａに押え付けて反り上がらせる場合において、同じ深さの中では最も反り上がりを大きくすることができる。つまり、最後の１枚である紙幣Ｂをより取り出し易くすることができる。
【００３２】
ところで、溝１５３を深くすることによっても、紙幣Ｂの反り上がりを大きくすることは可能である。しかし、紙幣収納部１５１の深さが一定である場合には、溝１５３を深くするために底面１５２の高さを上昇させなければならない。この場合、紙幣収納部１５１の深さが減ることになるので、紙幣収納量が犠牲になってしまう。しかしながら、本実施の形態によれば、溝１５３を深くして紙幣収納部１５１の収納量を犠牲にすることなく、最後の１枚である紙幣Ｂを取り出し易くすることができる。
【００３３】
溝幅ＤＷについては、２０ｍｍを採用することで、１６〜６０歳の男性又は女性であるオペレータによるドロワ１０１の使用に対応させることができる。また、例えばスーパーマーケットでは、パートタイムで勤務するオペレータは女性であることが多い。そのため、このようなスーパーマーケットに導入されるドロワ１０１の溝幅ＤＷとして１８ｍｍを採用することに意義が生ずる。
【図面の簡単な説明】
【００３４】
【図１】ドロワをＥＣＲと共に示す斜視図である。
【図２】引出しを示す分解斜視図である。
【図３】紙幣収納部を拡大して示す斜視図である。
【図４】図３のＡ−Ａ線断面図である。
【図５】図３のＢ−Ｂ線断面図である。
【図６】人差指の指端によって紙幣が押え付けられた状態を示す模式図である。
【符号の説明】
【００３５】
１０１…ドロワ，１０２…ドロワ筐体，１０４…引出し，１５１…紙幣収納部，１５２…底面，１５３…溝，Ｂ…紙幣，ＤＷ…溝幅（幅）
【図１】
2010015511.tif 000003
【図２】
2010015511.tif 000004
【図３】
2010015511.tif 000005
【図４】
2010015511.tif 000006
【図５】
2010015511.tif 000007
【図６】
2010015511.tif 000008